(57)【要約】【課題】加工の自由度が高く、組み立てが容易で、所望する場所に簡単に設置することができるばかりでなく、消臭機能も兼備したロールペーパーストッカーを提供する。【解決手段】ロールペーパーストッカー１を、略六角筒状の台座部２と、トイレットペーパーＲが収納される略六角筒状のロールペーパー収納部３とを上下に組み合わせて構成する。台座部２とロールペーパー収納部３は、各々、造形対象に外郭を打ち抜き加工すると共に、折り線４及び５を表示してなる紙のシートを、各折り線４及び５に対応した手順によって折り曲げ、端部の糊代部分を接着することにより立体的な形態を構成する。【選択図】  図１
0003137271.tif 000002
【実用新案登録請求の範囲】
【請求項１】
造形対象に外郭を打ち抜き加工すると共に折り線を表示してなる紙シートを、折り線に対応した手順によって折り曲げることにより立体的な形態を構成し、ロールペーパー保持スペースを形成することを特徴とするロールペーパーストッカー。
【請求項２】
紙シートとして消臭機能を有する光触媒紙を用いることを特徴とする請求項１記載のロールペーパーストッカー。
【考案の詳細な説明】
【技術分野】
【０００１】
本考案は、軽量な紙材で構成され、組み立てが容易で、所望する場所に簡単に設置することができるばかりでなく、消臭機能を付加したトイレットペーパー等のロールペーパーストッカーに関するものである。
【背景技術】
【０００２】
従来、この種のペーパーストッカーは、例えば、トイレットペーパーホルダーカバーの下部にロールペーパーを包持する輪環状の布製ホルダーを連結したり、プラスチック製や木製などのケースの底部に取り出し口を設けて、取り出す毎に上部のストックが降下してくる筒函状のものが用いられている（例えば、特許文献１及び特許文献２参照。）。また、基台と、その基台の上に着脱自在に立設したロール嵌挿軸とから構成されたものがある（例えば、特許文献３。）。すなわち、従来のロールペーパーストッカーは、トイレ内壁面や床面にストッカーを設置し、当該ストッカーに複数のロールを収容するという手段を採用していた。
【０００３】
【特許文献１】特開平１０−７５９１３号公報
【特許文献２】特開平１１−１２８１１４号公報
【特許文献３】特開平０６−３１５４４５号公報
【０００４】
一方、特許文献３には、ロール嵌挿軸に芳香剤又は消臭剤の収納部を形成することが開示されているが、トイレ内では、芳香・消臭剤とペーパーストッカーは別途設置されるのが一般的である。
【考案の開示】
【考案が解決しようとする課題】
【０００５】
しかしながら、従来のペーパーストッカーは、機能面での工夫は種々行われているものの、デザイン性に劣り、また、狭いトイレの中で、ペーパーストッカーと消臭剤等を個別に設置するのは清掃の際に邪魔になったりするという問題があった、本考案は上記のような従来技術の問題点に鑑み、加工の自由度が高く、組み立てが容易で、所望する場所に簡単に設置することができるばかりでなく、消臭機能も兼備したロールペーパーストッカーを提供することを目的とするものである。
【課題を解決するための手段】
【０００６】
そこで本考案のロールペーパーストッカーは、造形対象に外郭を打ち抜き加工すると共に折り線を表示してなるシートを、折り線に対応した手順によって折り曲げることにより立体的な形態を構成し、ロールペーパー保持スペースを形成することを第１の特徴とし、シートとして消臭機能を有する光触媒紙を用いることを第２の特徴とする。
【考案の効果】
【０００７】
本考案によれば、下記の優れた効果がある。
（１）加工の自由度が高いので、機能的且つ優れたデザインの製品を創出できる。
（２）組み立てが容易で、また軽量なので所望する場所に簡単に設置することができる。
（２）シートとして光触媒紙を用いることで、消臭機能を付加することができる。
【考案を実施するための最良の形態】
【０００８】
以下、本考案の実施の形態を図面に示す実施例に基づいて説明する。
図１は本考案に係るロールペーパーストッカーの一実施例を示す斜視図、図２は図１の分解斜視図、図３は図２の展開図、図４は本考案に係るロールペーパーストッカーの他の実施例を示す斜視図、図５は図４の背面斜視図、図６は実施例２の分解展開図、図７は本考案に係るロールペーパーストッカーの他の実施例を示す斜視図、図８は実施例３の展開図である。
【実施例１】
【０００９】
図１乃至図２に示すように、本実施例のロールペーパーストッカー１は、略六角筒状の台座部２と、トイレットペーパーＲが収納される略六角筒状のロールペーパー収納部３とを上下に組み合わせて構成されている。この台座部２とロールペーパー収納部３は、図３に示すように、各々、造形対象に外郭を打ち抜き加工すると共に、折り線４及び５を表示してなる紙のシートを、各折り線４及び５に対応した手順によって折り曲げ、端部の糊代３ｃ部分を接着することにより立体的な形態を構成するようにされている。ここで、破線で示す折り線４は山折り、一点鎖線で示す折り線５は谷折りとしている。また、実線で示す６は切り込み線を示す。
【００１０】
本考案に用いる紙シートとしては、片面若しくは両面に酸化チタン（ＴｉＯ２）、酸化ニオブ（Ｎｂ２Ｏ５）、三二酸化鉄（Ｆｅ２Ｏ３）、酸化亜鉛（ＺｎＯ）、酸化タングステン（ＷＯ３）のような金属酸化物又はこれらの金属複合酸化物を塗膜した光触媒紙を用い、主として消臭・脱臭機能を付加する。本考案では光触媒紙として、エスプリエアクリーン（商品名：平和紙業株式会社製）を使用した。
【００１１】
台座部２の上部には、開襟片２ａ、２ｂ、２ｃ及び２ｄを切り込み且つ外方に折曲して形成し、端部の糊代２ｅ部分を接着することにより立体的な形態を構成するようにされ、ロールペーパー収納部３が傾斜した状態で載置できるようにされている。また、ロールペーパー収納部３の上端周縁には筒体の補強と、オブジェとしての美観に鑑みて弧状のリップ３ａが折曲して形成されている。このロールペーパーストッカー１は通常は棚等に平置きするが、台座部２に穿孔した係止穴７を使用して壁に掛けて設置してもよい。
【実施例２】
【００１２】
次に、本考案に係るロールペーパーストッカーの他の実施例を説明するが、便宜上、実施例１と同様の構成要素には、同一の参照符号を付して説明する。
図４乃至図５に示すように、本実施例のロールペーパーストッカー１は、実施例１と同じ光触媒紙を紙シートとして用いて、略Ｗ字状の台座部２と、トイレットペーパーＲが収納される略方形筒状のロールペーパー収納部３とを上下に組み合わせて構成されている。この台座部２とロールペーパー収納部３は、図６に示すように、各々、造形対象に外郭を打ち抜き加工すると共に、折り線４及び５を表示してなる紙のシートを、各折り線４及び５に対応した手順によって折り曲げ、端部の各舌片９を差込スリット１０に差し込むことにより立体的な形態を構成するようにされている。ここで、破線で示す折り線４は山折り、一点鎖線で示す折り線５は谷折りとしている。また、実線で示す６は切り込み線を示す。尚、図中８はロールペーパー収納部３の補強板であり、ロールペーパー収納部３の内壁に折曲した状態で内接する補強片３ａと、ロールペーパー収納部３の背面に形成されたロール押出し窓３ｂと同形の窓口８ｂが形成されている。
【実施例３】
【００１３】
図７に示すロールペーパーストッカーは、既存のトイレットペーパーホルダー１２の軸両端に係止穴１１ａにより吊り下げ可能な懸吊部１１をロールペーパー収納部３と一体的に形成したものである。本実施例のロールペーパーストッカー１は、実施例１及び実施例２と同じ光触媒紙を紙シートとして用いて、図８に示すように、造形対象に外郭を打ち抜き加工すると共に、折り線４及び５を表示してなる紙のシートを、各折り線４及び５に対応した手順によって折り曲げ、波状に切り込まれたスリット６に沿って前後に拡張してロールペーパー収納部３を立体的に構成するようにされている。ここで、破線で示す折り線４は山折り、一点鎖線で示す折り線５は谷折りとしている。また、実線で示す６は切り込み線を示す。
【図面の簡単な説明】
【００１４】
【図１】本考案に係るロールペーパーストッカーの一実施例を示す斜視図である。
【図２】図１の分解斜視図である。
【図３】図２の展開図である。
【図４】本考案に係るロールペーパーストッカーの他の実施例を示す斜視図である。
【図５】図４の背面斜視図である。
【図６】実施例２の分解展開図である。
【図７】本考案に係るロールペーパーストッカーの他の実施例を示す斜視図である。
【図８】実施例３の展開図である。
【符号の説明】
【００１５】
１    ロールペーパーストッカー
２    台座部
３    ロールペーパー収納部
４    折り線（山折り）
５    折り線（谷折り）
６    切り込み線
７    係止穴
８    補強板
９    舌片
１０  差込スリット
１１  懸吊部
１２  ペーパーホルダー
Ｒ    ロールペーパー
【図１】
0003137271.tif 000003
【図２】
0003137271.tif 000004
【図３】
0003137271.tif 000005
【図４】
0003137271.tif 000006
【図５】
0003137271.tif 000007
【図６】
0003137271.tif 000008
【図７】
0003137271.tif 000009
【図８】
0003137271.tif 000010